(57)【要約】【課題】水位計画の評価を支援することができるようにする。【解決手段】水位計画評価支援装置３０は、１年の各旬における計画水位を決定するための水位流入量別目標水位表３５１を記憶する最適水位データベース３３３と、実績水位を取得する実績水位取得部３１３と、期初実績水位および水位流入量別目標水位表３５１に基づいて水位計画を作成する水位計画作成部３１４と、各旬の取水量を算出するポケット量調整部３１６と、期末計画水位と期末実績水位とが近似するように取水量を変化させ、変化させた取水量に応じて計画水位を補正する水位計画補正部３１７とを備える。
2013014799.tif 000002
【特許請求の範囲】
【請求項１】
貯水施設における水位計画の評価を支援する装置であって、
所定の運用期間を構成する単位期間における水位である計画水位を決定するための水位情報を記憶する水位情報記憶部と、
過去の前記運用期間の最初および最後の前記単位期間における前記水位の実績値である期初実績水位および期末実績水位を取得する実績水位取得部と、
前記期初実績水位および前記水位情報に基づいて、前記計画水位の組み合わせである水位計画を作成する水位計画作成部と、
前記単位期間のそれぞれにつき、当該単位期間における前記計画水位と当該単位期間の次の前記単位期間における前記計画水位とに基づいて水力発電に利用する水量である取水量を算出する取水量算出部と、
前記水位計画における最後の前記単位期間の前記計画水位である期末計画水位と前記期末実績水位とが近似するように前記取水量を変化させ、前記変化させた取水量に応じて前記計画水位を補正する計画水位補正部と、
を備えることを特徴とする水位計画評価支援装置。
【請求項２】
請求項１に記載の水位計画評価支援装置であって、
前記実績水位取得部は、前記過去の運用期間における前記単位期間のそれぞれにおける前記水位の実績値を取得し、
前記水位の実績値に基づいて第１の発電電力量を算出し、前記補正した計画水位に基づいて第２の発電電力量を算出し、前記第１および第２の発電電力量を出力する発電電力量出力部と、
をさらに備えることを特徴とする水位計画評価支援装置。
【請求項３】
請求項１又は２のいずれかに記載の水位計画評価支援装置であって、
前記水位情報は、前記単位期間の期初における水位および前記単位期間中における前記貯水施設への流入量と、前記単位期間の期末における水位とを対応付ける表であること、
を特徴とする水位計画評価支援装置。
【請求項４】
請求項１乃至３のいずれか１項に記載の水位計画評価支援装置であって、
各前記単位期間について、前記計画水位のそれぞれを貯水量に変換する水位計画作成部をさらに備え、
前記計画水位補正部は、
前記最後の単位期間から最初の前記単位期間に向けて各前記単位期間について、
前記期末計画水位が前記期末実績水位以上である間、前記単位期間の前記取水量に所定のステップ値を加算し、当該単位期間から前記最後の単位期間までの全ての前記単位期間の前記計画水位を前記ステップ値に応じて減らし、
前記期末計画水位が前記期末実績水位未満である間、前記単位期間の前記取水量から前記ステップ値を減算し、当該単位期間から前記最後の単位期間までの全ての前記単位期間の前記計画水位を前記ステップ値に応じて増やすこと、
を特徴とする水位計画評価支援装置。
【請求項５】
請求項１乃至３のいずれか１項に記載の水位計画評価支援装置であって、
前記単位期間ごとに、当該単位期間における無効放流量と、前記貯水施設における貯水量の最大値との差であるポケット量を記憶するポケット量記憶部と、
前記単位期間の前記計画水位が、前記最大値から前記ポケット量を減じた値に対応する水位以下になるように、前記取水量を調整するポケット量調整部と、
をさらに備えることを特徴とする水位計画評価支援装置。
【請求項６】
貯水施設における水位計画の評価を支援する方法であって、
コンピュータが、
所定の運用期間を構成する単位期間における水位である計画水位を決定するための水位情報を記憶し、
過去の前記運用期間の最初および最後の前記単位期間における前記水位の実績値である期初実績水位および期末実績水位を取得し、
前記期初実績水位および前記水位情報に基づいて、前記計画水位の組み合わせである水位計画を作成し、
前記単位期間のそれぞれにつき、当該単位期間における前記計画水位と当該単位期間の次の前記単位期間における前記計画水位とに基づいて水力発電に利用する水量である取水量を算出し、
前記水位計画における最後の前記単位期間の前記計画水位である期末計画水位と前記期末実績水位とが近似するように前記取水量を変化させ、前記変化させた取水量に応じて前記計画水位を補正すること、
を特徴とする水位計画評価支援方法。
【請求項７】
貯水施設における水位計画の評価を支援するためのプログラムであって、
コンピュータに、
所定の運用期間を構成する単位期間における水位である計画水位を決定するための水位情報を記憶するステップと、
過去の前記運用期間の最初および最後の前記単位期間における前記水位の実績値である期初実績水位および期末実績水位を取得するステップと、
前記期初実績水位および前記水位情報に基づいて、前記計画水位の組み合わせである水位計画を作成するステップと、
前記単位期間のそれぞれにつき、当該単位期間における前記計画水位と当該単位期間の次の前記単位期間における前記計画水位とに基づいて水力発電に利用する水量である取水量を算出するステップと、
前記水位計画における最後の前記単位期間の前記計画水位である期末計画水位と前記期末実績水位とが近似するように前記取水量を変化させ、前記変化させた取水量に応じて前記計画水位を補正するステップと、
を実行させるためのプログラム。
【発明の詳細な説明】
【技術分野】
【０００１】
本発明は、水位計画評価支援装置、水位計画評価支援方法およびプログラムに関する。
【背景技術】
【０００２】
水力発電所でのダム等の貯水施設の運用においては、ダムに流れ込む流入量と発電機で使用する水量（取水量）との関係から、年間を通じてダムの水位をどのレベルに保ち運用すればよいかを計画し、その計画水位に沿って貯水量を調整している。計画水位は経験的に無難な値を設定しており、発電電力量等を考慮した最適化は行われていない。これに対して、特許文献１に示すように、発電電力量や売電額などを最大化するように確率論的動的計画法により水位表を作成し、この水位表に基づいて作成された最適水位計画に沿って運用することを提案している。
【先行技術文献】
【特許文献】
【０００３】
【特許文献１】特開２０１０−１６５３４６号公報
【発明の概要】
【発明が解決しようとする課題】
【０００４】
水位表を用いた最適水位計画を評価する場合には、最適水位計画と、実際の運用計画や従来の水位計画とのそれぞれにおける発電電力量などを比較する必要がある。しかしながら、従来の水位計画と水位表を用いた水位計画とでは評価期間の最終時点における水位が異なることが多く、その場合発電に使われる水量が異なることになってしまい、単純に比較することは妥当でない。【０００５】
本発明は、このような背景を鑑みてなされたものであり、水位計画の評価を支援することのできる、水位計画評価支援装置、水位計画評価支援方法およびプログラムを提供することを目的とする。
【課題を解決するための手段】
【０００６】
上記課題を解決するための本発明の主たる発明は、貯水施設における水位計画の評価を支援する装置であって、所定の運用期間を構成する単位期間における水位である計画水位を決定するための水位情報を記憶する水位情報記憶部と、過去の前記運用期間の最初および最後の前記単位期間における前記水位の実績値である期初実績水位および期末実績水位を取得する実績水位取得部と、前記期初実績水位および前記水位情報に基づいて、前記計画水位の組み合わせである水位計画を作成する水位計画作成部と、前記単位期間のそれぞれにつき、当該単位期間における前記計画水位と当該単位期間の次の前記単位期間における前記計画水位とに基づいて水力発電に利用する水量である取水量を算出する取水量算出部と、前記水位計画における最後の前記単位期間の前記計画水位である期末計画水位と前記期末実績水位とが近似するように前記取水量を変化させ、前記変化させた取水量に応じて前記計画水位を補正する計画水位補正部と、を備えることとする。【０００７】
実績水位と計画水位とは、期初に一致していても、期末に異なる場合には、実際に発電に使われた水量と、水位計画により発電に使われる水量とが異なることになり、単純に比較することができない。これに対し、本発明の水位計画評価支援装置によれば、実績水位の期末水位に計画水位の期末水位を合わせるように計画水位を補正することができる。したがって、実績水位と期末水位とを比較することができる。【０００８】
また、本発明の水位計画評価支援装置は、前記実績水位取得部は、前記過去の運用期間における前記単位期間のそれぞれにおける前記水位の実績値を取得し、前記水位の実績値に基づいて第１の発電電力量を算出し、前記補正した計画水位に基づいて第２の発電電力量を算出し、前記第１および第２の発電電力量を出力する発電電力量出力部と、をさらに備えるようにしてもよい。  
この場合、実績水位による発電電力量と、計画水位による発電電力量とを比較して、計画水位の優位性を容易に判断することができる。【０００９】
また、本発明の水位計画評価支援装置では、前記水位情報は、前記単位期間の期初における水位および前記単位期間中における前記貯水施設への流入量と、前記単位期間の期末における水位とを対応付ける表であることとしてもよい。【００１０】
また、本発明の水位計画評価支援装置は、各前記単位期間について、前記計画水位のそれぞれを貯水量に変換する水位計画作成部をさらに備え、前記計画水位補正部は、前記最後の単位期間から最初の前記単位期間に向けて各前記単位期間について、前記期末計画水位が前記期末実績水位以上である間、前記単位期間の前記取水量に所定のステップ値を加算し、当該単位期間から前記最後の単位期間までの全ての前記単位期間の前記計画水位を前記ステップ値に応じて減らし、前記期末計画水位が前記期末実績水位未満である間、前記単位期間の前記取水量から前記ステップ値を減算し、当該単位期間から前記最後の単位期間までの全ての前記単位期間の前記計画水位を前記ステップ値に応じて増やすようにしてもよい。【００１１】
また、本発明の水位計画評価支援装置は、前記単位期間ごとに、当該単位期間における無効放流量と、前記貯水施設における貯水量の最大値との差であるポケット量を記憶するポケット量記憶部と、前記単位期間の前記計画水位が、前記最大値から前記ポケット量を減じた値に対応する水位以下になるように、前記取水量を調整するポケット量調整部と、をさらに備えるようにしてもよい。  
一般に、実際の貯水池の運用時には、無効放流量をなるべく抑制するような水位操作がなされることが多い。したがって、上記のように無効放流量を抑制するように計画水位を調整することにより、水位計画に基づいて行われる実際の運用に計画水位を近づけることができる。これにより、水位計画を実際に用いた場合における現実的な有用性を評価することが可能となる。【００１２】
また、本発明の他の態様は、貯水施設における水位計画の評価を支援する方法であって、コンピュータが、所定の運用期間を構成する単位期間における水位である計画水位を決定するための水位情報を記憶し、過去の前記運用期間の最初および最後の前記単位期間における前記水位の実績値である期初実績水位および期末実績水位を取得し、前記期初実績水位および前記水位情報に基づいて、前記計画水位の組み合わせである水位計画を作成し、前記単位期間のそれぞれにつき、当該単位期間における前記計画水位と当該単位期間の次の前記単位期間における前記計画水位とに基づいて水力発電に利用する水量である取水量を算出し、前記水位計画における最後の前記単位期間の前記計画水位である期末計画水位と前記期末実績水位とが近似するように前記取水量を変化させ、前記変化させた取水量に応じて前記計画水位を補正することとする。【００１３】
また、本発明の他の態様は、貯水施設における水位計画の評価を支援するためのプログラムであって、コンピュータに、所定の運用期間を構成する単位期間における水位である計画水位を決定するための水位情報を記憶するステップと、過去の前記運用期間の最初および最後の前記単位期間における前記水位の実績値である期初実績水位および期末実績水位を取得するステップと、前記期初実績水位および前記水位情報に基づいて、前記計画水位の組み合わせである水位計画を作成するステップと、前記単位期間のそれぞれにつき、当該単位期間における前記計画水位と当該単位期間の次の前記単位期間における前記計画水位とに基づいて水力発電に利用する水量である取水量を算出するステップと、前記水位計画における最後の前記単位期間の前記計画水位である期末計画水位と前記期末実績水位とが近似するように前記取水量を変化させ、前記変化させた取水量に応じて前記計画水位を補正するステップと、を実行させることとする。【００１４】
その他本願が開示する課題やその解決方法については、発明の実施形態の欄および図面により明らかにされる。
【発明の効果】
【００１５】
本発明によれば、水位計画の評価を支援することができる。
【図面の簡単な説明】
【００１６】
【図１】水位計画評価支援装置３０のハードウェア構成を示す図である。
【図２】水位計画評価支援装置３０のソフトウェア構成を示す図である。
【図３】諸元記憶部３３１の構成例を示す図である。
【図４】実績データベース３３５の構成例を示す図である。
【図５】最適水位データベース３３３の構成例を示す図である。
【図６】計画水位データベース３３４の構成例を示す図である。
【図７】ポケット量データベース３３６の構成例を示す図である。
【図８】水位計画評価支援装置３０により行われる処理の流れを説明する図である。
【図９】諸元の取得処理の流れを示す図である。
【図１０】水位計画の作成処理の流れを示す図である。
【図１１】無効放流量の算出処理の流れを示す図である。
【図１２】無効放流量に応じた計画水位の調整処理の流れを示す図である。
【図１３】ポケット量に応じた計画水位の調整処理の流れを示す図である。
【図１４】水位計画の補正処理の流れを示す図である。
【図１５】取水量を増加させる補正処理の流れを示す図である。
【図１６】取水量を減少させる補正処理の流れを示す図である。
【図１７】発電電力量の出力処理の流れを示す図である。
【図１８】ステップ値を動的に決定する場合における取水量を増加させる補正処理の流れを示す図である。
【図１９】ステップ値を動的に決定する場合における取水量を減少させる補正処理の流れを示す図である。
【発明を実施するための形態】
【００１７】
以下、本発明の一実施形態に係る水位計画評価支援装置３０について説明する。本実施形態の水位計画評価支援装置３０は、水力発電に用いるダムなどの貯水施設における水位の計画（以下、単に水位計画という。）の評価を支援するものである。
【００１８】
水位計画は水位表に基づいて作成される。水位表は、１年の評価期間（運用期間）中の各旬（単位期間）の最初の時点における水位と、その旬における貯水施設への流入量と、その旬の最後の時点（すなわち翌旬の最初の時点）における水位とを対応付ける表である。水位表は、例えば特開２０１０−１６５３４６号公報などに記載されるように、確率論的動的計画法により発電電力量や売電額が最大化するように作成することができる。また、水位表は、貯水施設における経験の豊かな技術者が作成することもできる。
【００１９】
水位表に基づいて作成される水位計画の評価は、実際に運用した水位（以下、実績水位という。）により発電された電力量（以下、実績発電電力量という。）と、水位計画に従って運用した場合の計算上の発電電力量（以下、計画発電電力量という。）と、を比較して行う。なお、発電電力量ではなく売電価格を比較するようにしてもよい。
【００２０】
ここで、ある評価期間についての水位計画の水位（以下、計画水位という。）は、期初の計画水位（以下、期初計画水位という。）を期初の実績水位（以下、期初実績水位という。）に合わせるようにしたとしても、期末の計画水位（以下、期末計画水位という。）は期末の実績水位（以下、期末実績水位という。）と一致しないことがあり得る。期末実績水位が期末計画水位よりも高ければ、実績水位の運用によって実際の発電に使われた水量は、水位計画で発電に使われることが想定される水量よりも少なく、水位計画による発電電力量はその分多くなる。逆に実績水位が計画水位よりも低ければ、実際に使われた水量は水位計画で使われる水量よりも多く、水位計画による発電電力量はその分少なくなる。したがって、この期末の水位の差の分だけ発電電力量には当然に差が発生することになり、単純に実績と計画との発電電力量を比較すると評価の妥当性を欠く。
【００２１】
そこで、本実施形態の水位計画評価支援システムでは、水位計画の期末の計画水位が実績水位となるべく近くなるように水位計画を補正することで、水位計画による発電電力量と、評価期間における実績水位（以下、実績水位の組み合わせを運用実績という。）の運用によって発電された電力量と、を比較して水位計画を評価できるようにする。
【００２２】
＝＝ハードウェア＝＝
図１は、水位計画評価支援装置３０のハードウェア構成を示す図である。水位計画評価支援装置３０は、ＣＰＵ３０１、メモリ３０２、記憶装置３０３、通信インタフェース３０４、入力装置３０５、および出力装置３０６を備えている。記憶装置３０３は、各種のデータやプログラムを記憶する、例えば、ハードディスクドライブやフラッシュメモリ、ＣＤ−ＲＯＭドライブなどである。ＣＰＵ３０１は、記憶装置３０３に記憶されているプログラムをメモリ３０２に読み出して実行することにより各種の機能を実現する。通信インタフェース３０４は、通信ネットワークに接続するためのインタフェースであり、例えば、イーサネット（登録商標）に接続するためのアダプタや、公衆電話回線網に接続するためのモデム、無線通信を行うための通信器などである。入力装置３０５は、データの入力を受け付ける、例えば、キーボードやマウス、タッチパネル、マイクロフォンなどである。出力装置３０６は、データを出力する、例えば、ディスプレイやプリンタ、スピーカなどである。
【００２３】
＝＝ソフトウェア＝＝
図２は、水位計画評価支援装置３０のソフトウェア構成を示す図である。水位計画評価支援装置３０は、諸元取得部３１１、流入量取得部３１２、実績水位取得部３１３、水位計画作成部３１４、無効放流調整部３１５、ポケット量調整部３１６、水位計画補正部３１７、発電電力量出力部３１８、諸元記憶部３３１、モデル記憶部３３２、最適水位データベース３３３、計画水位データベース３３４、実績データベース３３５、ポケット量データベース３３６を備えている。なお、諸元取得部３１１、流入量取得部３１２、実績水位取得部３１３、水位計画作成部３１４、無効放流調整部３１５、ポケット量調整部３１６、水位計画補正部３１７、発電電力量出力部３１８、は、水位計画評価支援装置３０が備えるＣＰＵ３０１が、記憶装置３０３に記憶されているプログラムをメモリ３０２に読み出して実行することにより実現される。また、諸元記憶部３３１、最適水位データベース３３３、計画水位データベース３３４、実績データベース３３５、ポケット量データベース３３６は、水位計画評価支援装置３０が備えるメモリ３０２や記憶装置３０３が提供する記憶領域として実現される。なお、諸元記憶部３３１、モデル記憶部３３２、最適水位データベース３３３、計画水位データベース３３４、実績データベース３３５、ポケット量データベース３３６は、水位計画評価支援装置３０とは異なるデータベースサーバが管理し、水位計画評価支援装置３０がそのデータベースサーバにアクセスするようにしてもよい。
【００２４】
諸元記憶部３３１は、貯水施設、河川、発電設備などの各種の諸元の設定値を含む情報（以下、諸元情報という。）を記憶する。図３は諸元記憶部３３１の構成例を示す図である。
【００２５】
諸元取得部３１１は、諸元情報の入力を受け付け、受け付けた諸元情報を諸元記憶部３３１に登録する。諸元取得部３１１は、例えば、キーボードやマウスなどの入力装置２０５から諸元情報の各項目の入力を受け付けるようにしてもよいし、例えば、電力会社のホストコンピュータにアクセスして諸元情報を取得するようにしてもよい。
【００２６】
なお、諸元取得部３１１は予め、貯水施設に係る諸元として、貯水施設において運用可能な水位の最高値（最高運用水位；以下、Ｈｍａｘと表記する。単位はｍである。各旬について設定可能である。）と、水位の最低値（最低運用水位；以下、Ｈｍｉｎと表記する。単位はｍである。各旬について設定可能である。）との入力を受け付け、受け付けた最高運用水位を含む諸元情報と、最低運用水位を含む諸元情報とを作成して諸元記憶部３３１に登録し、河川に係る諸元として、維持流量（以下、Ｓ０と表記する。単位はｍ３／ｓである。）の入力を受け付け、受け付けた維持流量を含む諸元情報を作成して諸元記憶部３３１に登録し、発電設備に係る諸元として、発電機に与えることのできる最大の水量（最大取水量；以下、Ｑｍａｘと表記する。単位はｍ３／ｓである。各旬について設定可能である。）と、発電機に与えるべき最低の水量（最小取水量；以下、Ｑｍｉｎと表記する。単位はｍ３／ｓである。各旬について設定可能である。）と、発電した後に放水する高さ（放水位；以下、Ｈｏｕｔと表記する。単位はｍである。）と、損失落差（以下、Ｈｌｏｓと表記する。単位はｍである。）との入力を受け付けて、受け付けた最大取水量を含む諸元情報と、最小取水量を含む諸元情報と、放水位を含む諸元情報と、損失落差を含む諸元情報とを作成して諸元記憶部３３１に登録し、計算用の諸元として、計算の開始年（以下、ｔ０と表記する。）と、計算の終了年（以下、Ｎｅｎｓｕｕと表記する。）と、１年間に含まれる単位期間（旬）の数（期間数；以下、Ｋｉｋａｎと表記する。）と、各単位期間（旬）の日数（期間日数）と、後述する取水量の調整に用いる係数（取水量調整係数；以下、ａと表記する。）との入力を受け付け、受け付けた計算開始年を含む諸元情報と、計算終了年を含む諸元情報と、期間数を含む諸元情報と、期間日数を含む諸元情報と、取水量調整係数を含む諸元情報とを作成して諸元記憶部３３１に登録しているものとする。
【００２７】
モデル記憶部３３２には、以下のモデルＢ１〜Ｂ１０が記憶されている。  
モデルＢ１は、貯水量Ｖに基づいて運用水位Ｈを算出するためのもの（水位算出モデル）であり、次式により表される。なお、ａは貯水施設に固有の定数である。  
2013014799.tif 000003
モデルＢ２は、最高運用水位Ｈｍａｘに基づいて貯水量の上限（以下、上限貯水量といい、Ｖｍａｘと表記する。）を算出するためのものであり、次式により表される。  
2013014799.tif 000004
モデルＢ３は、最低運用水位Ｈｍｉｎに基づいて貯水量の下限（以下、下限貯水量といい、Ｖｍｉｎと表記する。）を算出するためのものであり、次式により表される。  
2013014799.tif 000005
モデルＢ４は、１日の０時から２４時（すなわち次の日の０時）の貯水量に基づいて、単位期間の開始時点から終了時点までの貯水量の差（以下、貯水量差といい、ΔＶと表記する。）を算出するものであり、ある日付ｔの０時における貯水量をＶｔとして、次式により表される。  
2013014799.tif 000006
【００２８】
モデルＢ５は、流入量Ｒから維持流量Ｓ０および貯水量差ΔＶを引いた水量（Ｒ０）を算出するためのものであり、次式により表される。  
2013014799.tif 000007
モデルＢ６は、最小取水量Ｑｍｉｎ、最大取水量Ｑｍａｘ、最低運転出力Ｑ０ｍｉｎおよびＲ０に基づいて、取水量Ｑを決定するためのもの（取水量算出モデル）であり、次式により表される。  
2013014799.tif 000008
すなわち、Ｒ０が、最小取水量Ｑｍｉｎ以上であり、かつ、最大取水量Ｑｍａｘ以下である場合には、Ｒ０が取水量Ｑとなり、Ｒ０が最小取水量Ｑｍｉｎよりも小さい場合には最小取水量Ｑｍｉｎが取水量Ｑとなり、Ｒ０が最大取水量よりも大きい場合には最大取水量Ｑｍａｘが取水量Ｑとなる。ただし、Ｒ０が最低運転出力Ｑ０ｍｉｎよりも小さい場合は、取水量Ｑは０となる。
【００２９】
モデルＢ７は、Ｒ０および取水量Ｑに基づいて、１日に貯水施設において放流される水量（以下、普通放流量または無効放流量といい、Ｓと表記する。）を算出するためのものであり、次式により表される。  
2013014799.tif 000009
モデルＢ８は、１日の終了時点における運用水位、放水位Ｈｏｕｔおよび損失落差Ｈｌｏｓに基づいて、有効落差ｈｎを算出するためのものであり、日付ｔの０時における運用水位をＨｔとし、水位を海抜高さに変換するための所定の定数をｂとして、次式により表される。  
2013014799.tif 000010
モデルＢ９は、取水量Ｑおよび有効落差ｈｎに基づいて１時間に発電される発電電力Ｐｎを算出するためのものであり、発電の変換効率に係る係数をｃ、重力加速度をｇとして、次式により表される。  
2013014799.tif 000011
モデルＢ１０は、発電電力Ｐｎに基づいて１日に発電される発電電力量Ｅｎを算出するためのもの（電力量算出モデル）であり、次式により表される。  
2013014799.tif 000012
【００３０】
実績データベース３３５は、実績水位および発電電力量の実績値（以下、「実績発電電力量」という。）を記憶する。図４は、実績データベース３３５の構成例を示す図である。同図に示すように、実績データベース３３５は、各旬に対応付けて実績水位および実績発電電力量を記憶する。なお、水位計画評価支援装置３０とは異なる他のコンピュータが実績データベース３３５を管理し、他のコンピュータから実績水位や実績発電電力量を取得するようにしてもよい（実績水位取得部）。
【００３１】
実績水位取得部３１３は、実績水位を取得し、取得した実績水位を実績データベース３３５に登録する。実績水位取得部３１３は、例えば、ユーザから実績水位の入力を受け付けるようにしてもよいし、実績水位を管理している他のコンピュータにアクセスして実績水位を取得するようにしてもよい。
【００３２】
最適水位データベース３３３（本発明の水位情報記憶部に該当する。）は、旬と、当該旬の開始時点における水位と、当該旬における１日分の流入量（ｍ３／日）とに対応する、最適な次旬の水位を記憶する。図５は、最適水位データベース３３３の構成例を示す図である。同図に示すように、最適水位データベース３３３には、旬ｍごとに、当該旬における水位Ｈｍおよび流入量Ｒｍに対応付けて、その翌旬における最適な水位Ｈｍ＋１が設定される水位流入量別目標水位表３５１を記憶している。後述するように、旬ｍと、その旬ｍの開始時点における水位Ｈｍと、流入量Ｒｍとに対応する次旬ｍ＋１の最適水位Ｈｍ＋１を最適水位データベース３３３から読み出すことにより、その旬の最終時点における目標水位を取得することが可能となる。したがって、評価期間の期初における水位Ｈ１を決定し、最適水位データベース３３３から評価期間の各旬ｍにおける水位Ｈｍを読み出すことで、水位計画を作成することができる。
【００３３】
流入量取得部３１２は、各旬についての流入量Ｒを取得する。流入量取得部３１２は、例えば、キーボードやマウスなどのから、流入量の入力を受け付けるようにすることができる。また、流入量取得部３１２は、例えば、流入量の実績値を管理するコンピュータや、流入量の予測を行う他のコンピュータにアクセスして流入量の実績値や予測値を取得するようにしてもよい。また、流入量取得部３１２は、実績流入量をメモリ３０２や記憶装置３０３に記憶しておき、将来の旬については、例えば、前年同旬同曜日などの実績流入量を予測流入量として読み出してもよい。また、実績流入量を用いたシミュレーションにより予測流入量を算出するようにしてもよい。
【００３４】
水位計画作成部３１４は、期初計画水位に応じて水位計画を作成する。本実施形態では、期初計画水位は期初実績水位と一致していることを想定する。水位計画作成部３１４は、ユーザから期初計画水位の入力を受け付けるようにしてもよいし、期初実績水位を実績データベース３３５から読み出して期初計画水位としてもよい。水位計画作成部３１４は、最適水位データベース３３３から、期初計画水位を最初の旬ｍの水位Ｈｍとし、この水位Ｈｍと流入量取得部３１２が取得した旬ｍの流入量Ｒｍとに対応する旬ｍ＋１の水位Ｈｍ＋１を旬ｍ＋１の計画水位として読み出していくことで水位計画を作成する。
【００３５】
計画水位データベース３３４は、水位計画を記憶する。図６は、計画水位データベース３３４の構成例を示す図である。同図に示すように、開始旬、終了旬および開始水位に対応付けて、各旬の水位が登録される。開始旬は、評価期間の最初の旬であり、終了旬は評価期間の最後の旬である。開始水位は期初計画水位である。
【００３６】
無効放流調整部３１５は、無効放流量を減らすように計画水位を調整する。無効放流調整部３１５は、水位計画における各旬の無効放流量を算出し、無効放流量が発生している場合には、貯水量を最大貯水量以下の範囲で増加させるように計画水位を調整する。なお、無効放流調整部３１５による調整処理は省略してもよい。
【００３７】
ポケット量データベース３３６は、旬ｍにおける上限貯水量Ｖｍａｘ，ｍと無効放流量Ｓとの差（以下、ポケット量という。）を記憶する。水位計画において、計画水位を最高運用水位Ｈｍａｘからポケット量分の水位を引いた値以下の値とすることで、無効放流量を抑制することが可能となる。図７は、ポケット量データベース３３６の構成例を示す図である。同図に示すように、ポケット量データベース３３６は、各旬に対応付けてポケット量を記憶する。
【００３８】
ポケット量調整部３１６（本発明のポケット量調整部および取水量算出部に該当する。）は、ポケット量に応じて計画水位を調整する。ポケット量調整部３１６は、最大貯水量からポケット量を減じた値を貯水量が超えている場合、最大取水量以下の範囲で取水量を増やすことにより、貯水量を減らすように計画水位を調整する。なお、ポケット量調整部３１６による調整処理も省略することができる。
【００３９】
水位計画補正部３１７（本発明の計画水補正部に該当する。）は、期末の計画水位が実績水位となるべく近くなるように水位計画を補正する。
【００４０】
発電電力量出力部３１８は、補正後の水位計画による発電電力量を算出して出力する。また、発電電力量出力部３１８は、実績データベース３３５から水位計画に対応する期間における発電電力量の合計を算出し、水位計画による発電電力量と併せて出力する。
【００４１】
＝＝評価支援処理＝＝
図８は、水位計画評価支援装置３０により行われる処理の流れを説明する図である。諸元取得部３１１が、計算に用いる各諸元を取得し（Ｓ４１）、水位計画作成部３１４が、入力された期初計画水位に応じて、最適水位データベース３３３に記憶されている水位流入量別目標水位表３５１に基づき水位計画を作成し（Ｓ４２）、無効放流調整部３１５が、水位計画の各旬について無効放流量を算出して（Ｓ４３）、無効放流量に応じて計画水位を調整し（Ｓ４４）、ポケット量調整部３１６が、各旬についてポケット量に応じて水位計画を調整し（Ｓ４５）、水位計画補正部３１７が、期末計画水位と期末実績水位とが近似するように水位計画を補正し（Ｓ４６）、発電電力量出力部３１８が、運用実績による発電電力量と、水位計画による発電電力量とを算出して、算出した発電電力量を出力する（Ｓ４７）。以下、詳細について説明する。
【００４２】
＝＝諸元の取得処理（Ｓ４１）＝＝
図９は、図８のステップＳ４１における、諸元の取得処理の流れを示す図である。諸元取得部３１１は、諸元記憶部３３１から各諸元情報を読み出し（Ｓ４１１）、ポケット量データベース３３６から各旬ｉ対応するポケット量（ｉ）を読み出す（Ｓ４１２）。諸元取得部３１１は、開始年ｔ０から終了年Ｎｅｎｓｕｕまでの各年ｔについて以下の処理を行う。諸元取得部３１１は、年ｔの旬ｉのそれぞれについて、最大貯水量（ｔ，ｉ）を算出し（Ｓ４１３）、最小貯水量（ｔ，ｉ）を算出する（Ｓ４１４）。なお、最大貯水量（ｔ，ｉ）は、旬ｉについての最高運用水位Ｈｍａｘ，ｉをモデルＢ２に適用することにより、また、最小貯水量（ｔ，ｉ）は、旬ｉについての最低運用水位Ｈｍｉｎ，ｉをモデルＢ３に適用することにより、それぞれ算出することができる。諸元取得部３１１は、年ｔの最初の旬における実績水位を実績データベース３３５から読み出し、読み出した実績水位をモデルＢ１に適用して貯水量に変換し、これを期初計画水位に対応する貯水量（ｔ，１）とする（Ｓ４１５）。諸元取得部３１１は、年ｔの期末（年ｔ＋１の最初）の実績水位を実績データベース３３５から読み出し、読み出した実績水位をモデルＢ１に適用して貯水量に変換し、これを期末計画水位に対応する目標貯水量（ｔ）とする（Ｓ４１６）。流入量取得部３１２は、年ｔの各旬ｉにおける流入量（ｔ，ｉ）を取得する（Ｓ４１７）。以上の処理を各年ｔについて繰り返すことにより、後述の処理に用いる諸元が入力される。
【００４３】
＝＝水位計画の作成処理（Ｓ４２）＝＝
図１０は、図８のステップＳ４２における、水位計画の作成処理の流れを示す図である。水位計画作成部３１４は、開始年ｔ０から終了年Ｎｅｎｓｕｕまでの各年ｔの、１からＫｉｋａｎまでの各旬ｉについて、以下の処理を行う。水位計画作成部３１４は、貯水量（ｔ，ｉ）をＶとし（Ｓ４２１）、流入量（ｔ，ｉ）をＲとし（Ｓ４２２）、ＶをモデルＢ１に適用して水位Ｈ１に変換する（Ｓ４２３）。水位計画作成部３１４は、最適水位データベース３３３の旬ｉに対応する水位流入量別目標水位表３５１から、Ｈ１およびＲに対応する目標水位を読み出してＨ２とする（Ｓ４２４）。水位計画作成部３１４は、モデルＢ１、Ｂ２又はＢ３を用いて目標水位Ｈ２を貯水量に変換して、次旬ｉ＋１の貯水量（ｔ，ｉ）とする（Ｓ４２５）。以上の処理を繰り返すことにより、最適水位データベース３３３に記憶されている水位表に基づいて水位計画が作成される。
【００４４】
＝＝無効放流量に応じた修正処理（Ｓ４３、Ｓ４４）＝＝
図１１は、図８のステップＳ４３における、無効放流量の算出処理の流れを示す図である。無効放流調整部３１５は、開始年ｔ０から終了年Ｎｅｎｓｕｕまでの各年ｔの、１からＫｉｋａｎまでの各旬ｉについて、流入量（ｔ，ｉ）、貯水量（ｔ，ｉ）、貯水量（ｔ，ｉ＋１）および最大取水量（ｉ）をモデルＢ４〜Ｂ７に適用して、年ｔの旬ｉにおける無効放流量（ｔ，ｉ）を算出する（Ｓ４３１）。
【００４５】
図１２は、図８のステップＳ４４における、無効放流量に応じた計画水位の調整処理の流れを示す図である。無効放流調整部３１５は、開始年ｔ０から終了年Ｎｅｎｓｕｕまでの各年ｔの、１からＫｉｋａｎまでの各旬ｉについて以下の処理を行う。
【００４６】
無効放流調整部３１５は、貯水量（ｔ，ｉ＋１）が最大貯水量（ｔ，ｉ＋１）よりも小さい場合（Ｓ４４１：ＹＥＳ）、ｉからＫｉｋａｎまでの旬ｋについて、貯水量（ｔ，ｋ＋１）が最大貯水量（ｔ，ｋ＋１）よりも小さければ（Ｓ４４２：ＹＥＳ）、貯水量（ｔ，ｋ＋１）に無効放流量（ｔ，ｉ）を加算する（Ｓ４４３）。なお、無効放流調整部３１５は、貯水量（ｔ，ｋ＋１）が最大貯水量（ｔ，ｋ＋１）を超えた場合には、貯水量（ｔ，ｋ＋１）は最大貯水量（ｔ，ｋ＋１）とする。
【００４７】
無効放流調整部３１５は、年ｔの旬ｉについて、流入量（ｔ，ｉ）、貯水量（ｔ，ｉ）および最大取水量（ｉ）ならびに貯水量（ｔ，ｉ＋１）をモデルＢ４〜Ｂ７に適用して、年ｔの旬ｉにおける無効放流量（ｔ，ｉ）を算出する（Ｓ４４４）。
【００４８】
以上の処理を繰り返すことにより、各年ｔの各旬ｉにおける貯水量（ｔ，ｉ）は、最大貯水量（ｔ，ｉ）を超えない範囲で貯水量を増加させて、無効放流量（ｔ，ｉ）がなるべく小さくなるようにしている。
【００４９】
＝＝ポケット量に応じた修正処理（Ｓ４５）＝＝
図１３は、図８のステップＳ４５における、ポケット量に応じた計画水位の調整処理の流れを示す図である。ポケット量調整部３１６は、開始年ｔ０から終了年Ｎｅｎｓｕｕまでの各年ｔの、１からＫｉｋａｎまでの各旬ｉについて以下の処理を行う。
【００５０】
ポケット量調整部３１６は、年ｔの旬ｉにおける取水量（ｔ，ｉ）を算出する（Ｓ４５０１）。取水量（ｔ，ｉ）は、旬ｉの貯水量（ｔ，ｉ）と次旬ｉ＋１の貯水量（ｔ，ｉ）と流入量（ｔ，ｉ）と維持流量Ｓ０などをモデルＢ４〜Ｂ６に適用することにより算出することができる。ポケット量調整部３１６は、次旬ｉ＋１における最大貯水量（ｔ，ｉ＋１）から、次旬のポケット量（ｉ＋１）を引いた値を調整値とする（Ｓ４５１）。ポケット量調整部３１６は、次旬ｉ＋１の貯水量（ｔ，ｉ＋１）が調整値よりも大きく、かつ、旬ｉの取水量（ｔ，ｉ）が最大取水量（ｉ）以下である場合（Ｓ４５０３：ＹＥＳ）、取水量（ｔ，ｉ）を取水０として（Ｓ４５０４）、調整値と貯水量（ｔ，ｉ＋１）の差を取水量（ｔ，ｉ）に加算する（Ｓ４５０５）。なお、ポケット量調整部３１６は、取水量（ｔ，ｉ）が最大取水量（ｉ）を超える場合には、取水量（ｔ，ｉ）は最大取水量（ｉ）とする。ポケット量調整部３１６は、取水量（ｔ，ｉ）と取水０との差を増加取水量とし（Ｓ４５０６）、モデルＢ６およびＢ６に基づいて、増加取水量から貯水量の減少分（ΔＶ）の水量を算出して減少貯水量とする（Ｓ４５０７）。ポケット量調整部３１６は、ｉからＫｉｋａｎまでの旬ｋについて、貯水量（ｔ，ｋ）から最小貯水量（ｔ，ｋ）を減じた値が減少貯水量よりも小さい場合には（Ｓ４５０８：ＹＥＳ）、貯水量（ｔ，ｋ）から最小貯水量（ｔ，ｋ）を減じた値を減少貯水量として（Ｓ４５０９）、貯水量（ｔ，ｋ）から減少貯水量を減じる（Ｓ４５１０）。
【００５１】
以上の処理を繰り返すことにより、各年ｔの各旬ｉにおける貯水量（ｔ，ｉ）は、最大貯水量からポケット量を減じた値をなるべく超えないように、最大取水量を超えない範囲で調整される。
【００５２】
＝＝水位計画の補正処理（Ｓ４６）＝＝
図１４は、図８のステップＳ４６における、水位計画の補正処理の流れを示す図である。水位計画補正部３１７は、開始年ｔ０から終了年Ｎｅｎｓｕｕまでの各年ｔについて、年ｔの期末計画水位に対応する貯水量（ｔ，Ｋｉｋａｎ＋１）が目標貯水量（ｔ）以上である場合には（Ｓ４６１：ＹＥＳ）、取水量を増加させる補正処理を行い（Ｓ４６２）、貯水量（ｔ，Ｋｉｋａｎ＋１）が目標貯水量（ｔ）よりも少ない場合には（Ｓ４６１：ＮＯ）、取水量を減少させる補正処理を行う（Ｓ４６３）。
【００５３】
図１５は、図１４のステップＳ４６２における取水量を増加させる補正処理の流れを示す図である。水位計画補正部３１７は、Ｋｉｋａｎから１までの各旬ｉについて、以下の処理を行う。水位計画補正部３１７は、取水量（ｔ，ｉ）が最大取水量（ｉ）よりも少なく、かつ、期末計画水位に対応する貯水量（ｔ，Ｋｉｋａｎ＋１）が目標貯水量（ｔ）以上である場合（Ｓ４６２１：ＹＥＳ）、旬ｉの最大取水量（ｉ）に取水量調整係数ａを乗じた値（ステップ値）を取水量（ｔ，ｉ）に加算する（Ｓ４６２２）。水位計画補正部３１７は、モデルＢ６およびＢ６に基づいて、最大取水量（ｉ）に取水量調整係数ａを乗じた値から貯水量の減少分（ΔＶ）の水量を算出して減少貯水量とする（Ｓ４６２３）。なお、ステップＳ４６２２において、貯水量（ｔ，Ｋｉｋａｎ＋１）と目標貯水量（ｔ）との差が、ａ×最大取水量（ｉ）よりも少ない場合には、取水量（ｔ，ｉ）には、貯水量（ｔ，Ｋｉｋａｎ＋１）と目標貯水量（ｔ）との差を加算するようにする。また、加算後の取水量（ｔ，ｉ）が最大取水量（ｉ）を超える場合には、ステップＳ４６２３において最大取水量（ｉ）と取水量（ｔ，ｉ）との差に基づいて減少貯水量を算出するようにし、ステップＳ４６２２において取水量（ｔ，ｉ）には最大取水量（ｉ）を設定するようにする。
【００５４】
水位計画補正部３１７は、Ｋｉｋａｎからｉまでの旬ｋのそれぞれについて、貯水量（ｔ，ｋ＋１）から減少貯水量を減じる（Ｓ４６２４）。なお、水位計画補正部３１７は、貯水量（ｔ，ｋ＋１）から減少貯水量を減じた値が最小貯水量（ｔ，ｋ＋１）よりも小さくなるｋが存在する場合には、そのｋについての貯水量（ｔ，ｋ＋１）と最小貯水量（ｔ，ｋ＋１）との差を減少貯水量に設定し、取水量（ｔ，ｉ）には当該減少貯水量を取水量に換算した値を加算するようにして、ステップＳ４６２２からの処理をやり直すようにしてもよい。
【００５５】
以上の処理を繰り返すことで、期末計画水位が期末実績水位以上である場合に、期末から順に各旬の取水量を増加させ、水位を下げることにより、期末計画水位と期末実績水位とを近似させることができる。
【００５６】
図１６は、図１４のステップＳ４６３における取水量を減少させる補正処理の流れを示す図である。水位計画補正部３１７は、Ｋｉｋａｎから１までの各旬ｉについて、以下の処理を行う。水位計画補正部３１７は、取水量（ｔ，ｉ）が０よりも大きく、かつ、期末計画水位に対応する貯水量（ｔ，Ｋｉｋａｎ＋１）が目標貯水量（ｔ）以下である場合（Ｓ４６３１：ＹＥＳ）、旬ｉの最大取水量（ｉ）に取水量調整係数ａを乗じた値を取水量（ｔ，ｉ）から減算する（Ｓ４６３２）。水位計画補正部３１７は、モデルＢ６およびＢ６に基づいて、最大取水量（ｉ）に取水量調整係数ａを乗じた値から貯水量の増加分（ΔＶ）の水量を算出して増加貯水量とする（Ｓ４６３３）。なお、ステップＳ４６３２において、目標貯水量（ｔ）と貯水量（ｔ，Ｋｉｋａｎ＋１）との差が、ａ×最大取水量（ｉ）よりも少ない場合には、取水量（ｔ，ｉ）からは、目標貯水量（ｔ）と貯水量（ｔ，Ｋｉｋａｎ＋１）との差を減算するようにする。また、減算後の取水量（ｔ，ｉ）が最小取水量（ｉ）を下回る場合には、ステップＳ４６３３において取水量（ｔ，ｉ）と最小取水量（ｉ）との差に基づいて増加貯水量を算出するようにし、ステップＳ４６２２において取水量（ｔ，ｉ）には最小取水量（ｉ）を設定するようにする。
【００５７】
水位計画補正部３１７は、Ｋｉｋａｎからｉまでの旬ｋのそれぞれについて、貯水量（ｔ，ｋ＋１）に増加貯水量を加算する（Ｓ４６３４）。なお、水位計画補正部３１７は、貯水量（ｔ，ｋ＋１）に増加貯水量を加算した値が最大貯水量（ｔ，ｋ＋１）を上回るｋが存在する場合には、そのｋについての最大貯水量（ｔ，ｋ＋１）と貯水量（ｔ，ｋ＋１）との差を増加貯水量に設定し、取水量（ｔ，ｉ）からは当該増加貯水量を取水量に換算した値を減算するようにして、ステップＳ４６３２からの処理をやり直すようにしてもよい。
【００５８】
以上の処理を繰り返すことで、期末計画水位が期末実績水位を下回っている場合に、期末から順に各旬の取水量を減少させ、水位を上げることにより、期末計画水位と期末実績水位とを近似させることができる。
【００５９】
＝＝発電電力量の出力処理（Ｓ４７）＝＝
図１７は、図８のステップＳ４７における、発電電力量の出力処理の流れを示す図である。発電電力量出力部３１８は、開始年ｔ０から終了年Ｎｅｎｓｕｕまでの各年ｔについて以下の処理を行う。発電電力量出力部３１８は、１からＫｉｋａｎまでの各旬ｉについて、モデルＢ４〜Ｂ６に貯水量（ｔ，ｉ）、貯水量（ｔ，ｉ＋１）、流入量（ｔ，ｉ）、無効放流量（ｔ，ｉ）を適用して取水量（ｔ，ｉ）を算出する（Ｓ４７１）。なお、モデルＢ４〜Ｂ６に適用する際、貯水量（ｔ，ｉ）は期間日数（ｉ）で割った商を用いて、流入量（ｔ，ｉ）の単位（ｍ３／日）に合わせて計算する。発電電力量出力部３１８は、算出した取水量（ｔ，ｉ）をモデルＢ９、Ｂ１０に適用して１日の発電電力量を算出し、これに期間日数（ｉ）を乗じて、年ｔの旬ｉにおける発電電力量を算出して計画発電電力量とする（Ｓ４７２）。発電電力量出力部３１８は、実績データベース３３５から、年ｔの旬ｉに対応する実績発電電力量を読み出す（Ｓ４７３）。発電電力量出力部３１８は、以上の処理を各旬ｉについて繰り返した後、年ｔについての計画発電電力量（ｔ，ｉ）及び実績発電電力量（ｔ，ｉ）（１≦ｉ≦Ｋｉｋａｎ）をそれぞれ合計し（Ｓ４７４）、計画発電電力量の合計値と実績発電電力量の合計値とを出力する（Ｓ４７５）。なお、発電電力量出力部３１８は、各旬についての計画発電電力量と実績発電電力量を出力するようにしてもよい。
【００６０】
以上のようにして、各年について、期末計画水位を期末実績水位に近似するように補正した水位計画に従って運用した場合の発電電力量と、実際の運用による発電電力量とが出力されるので、ユーザは水位流入量別目標水位表３５１に基づいて水位を計画した場合に、実績よりも発電電力量が増えるか減るかを容易に把握することができる。したがって、ユーザは水位計画と運用実績とを比較し、実績水位に対する水位計画の優位性を容易に評価することができる。また、水位計画は水位表に基づいて作成されるので、水位表の有効性の評価を行うことができる。
【００６１】
また、本実施形態の水位計画評価支援装置３０では、無効放流量を抑制するように計画水位を調整することができる。一般に、実際の貯水池の運用時には、無効放流量をなるべく抑制するような水位操作がなされることが多い。したがって、上記のように無効放流量を抑制するように計画水位を調整することにより、水位計画に基づいて実際に運用を行った場合の現実的な水位に計画水位を調整することができる。これにより、より現実的な比較を行うことが可能となる。
【００６２】
なお、本実施形態では、水位計画と実際に運用された実績水位とを比較するものとしたが、第１および第２の水位表により作成された２つの異なる水位計画を比較する場合に利用することもできる。この場合、例えば、第１の水位計画の水位を実績水位とし、第２の水位計画の水位を計画水位として、本実施形態で説明した処理を行えばよい。
【００６３】
また、本実施形態では、１年を評価期間としたが、これに限らず、半年や２年など任意の期間を評価期間とすることもできる。同様に、本実施形態では単位期間は旬であるものとしたが、月や週、日など任意の単位期間とすることもできる。
【００６４】
また、本実施形態では、期末計画水位と期末実績水位とが近似するように補正を行うものとしたが、完全に一致するまで補正を繰り返すようにしてもよい。
【００６５】
また、本実施形態では、最大取水量に取水量調整係数ａを乗じた値で取水量を調整するものとしたが、所定の定数（ステップ値）を用いて取水量を調整するようにしてもよい。また、取水量を調整する値は動的に変化させるようにしてもよい。例えば、期末計画水位と期末実績水位とを一致させる場合には、期末計画水位と期末実績水位との差に応じて、調整値を決定することができる。図１８及び図１９は、ステップ値を動的に決定する場合における図１５及び図１６の処理の変形例を示す図である。図１８の処理では、図１５のステップＳ４６２２の前に、期末計画水位に対応する貯水量（ｔ，Ｋｉｋａｎ＋１）から目標貯水量（ｔ）を減じてＡを算出し（Ｓ５０１）、ステップＳ４６２２では、旬ｉの最大取水量（ｉ）に取水量調整係数ａを乗じたステップ値に代えて、Ａを所定の値ｍで割ったステップ値を算出し、ステップＳ４６２３では、Ａをｍで割った商から貯水量の減少分（ΔＶ）の水量を算出して減少貯水量とするようにする。また、図１９の処理では、図１６のステップＳ４６３２の前に、目標貯水量（ｔ）から期末計画水位に対応する貯水量（ｔ，Ｋｉｋａｎ＋１）を減じてＡを算出し（Ｓ５１１）、ステップＳ４６３２では、旬ｉの最大取水量（ｉ）に取水量調整係数ａを乗じたステップ値に代えて、Ａを所定の値ｍで割ったステップ値を算出し、ステップＳ４６３３では、Ａをｍで割った商から貯水量の増加分（ΔＶ）の水量を算出して増加貯水量とするようにする。図１４、図１７、図１８の処理を繰り返すことで、調整値を収束させていき、期末計画水位を期末実績水位に一致させることができる。
【００６６】
また、本実施形態では、水位計画は水位表に基づいて作成するものとしたが、手動など任意の手法で作成された水位計画を補正するようにしてもよい。この場合、例えば技術者が経験に基づいて作成した水位計画の有効性を検証することが可能になる。
【００６７】
また、本実施形態では、期初において計画水位と実績水位とが一致していることを前提としたが、これに限らず、期末又は期中のどこか一旬において計画水位と実績水位とが一致していればよい。
【００６８】
例えば、期末において計画水位と実績水位とを一致させる場合には、期末から期初に向けて水位計画表に基づいて水位を決定し、期初の水位を調整するようにする。水位計画作成部３１４は、図１０に示す処理において、Ｋｉｋａｎから１までの各旬ｉについて、旬ｉ−１の水位流入量別目標水位表３５１から、旬ｉの水位Ｈｉ及び流入量Ｒに対応する旬ｉ−１の水位Ｈｉ−１を決定していく。また、水位計画補正部３１７は、図１５、１６の処理において、１からＫｉｋａｎまでの旬ｉについて処理を行うようにし、期初の水位から順に補正を行うようにする。これにより、期末計画水位と期末実績水位とを一致させて水位を計画した上で、期初の計画水位と実績水位とを近似させることが可能となる。
【００６９】
また、期中の一旬において計画水位と実績水位とを一致させる場合には、その一致させた旬から期末までの水位を本実施形態で説明した処理により計画及び補正するとともに、一致させて旬から期初までの水位を、上記のように期末の計画水位と実績水位とを一致させた場合と同様にして水位の計画及び補正を行う。これにより、期中の一旬を実績水位に合わせて水位を計画した場合でも、期初及び期末の両方において、計画水位と実績水位とを近似させることができる。
【００７０】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００７１】
３０    水位計画評価支援装置
３１１  諸元取得部
３１２  流入量取得部
３１３  実績水位取得部
３１４  水位計画作成部
３１５  無効放流調整部
３１６  ポケット量調整部
３１７  水位計画補正部
３１８  発電電力量出力部
３３１  諸元記憶部
３３２  モデル記憶部
３３３  最適水位データベース
３３４  計画水位データベース
３３５  実績データベース
３３６  ポケット量データベース
３５１  水位流入量別目標水位表
【図１】
2013014799.tif 000013
【図２】
2013014799.tif 000014
【図３】
2013014799.tif 000015
【図４】
2013014799.tif 000016
【図５】
2013014799.tif 000017
【図６】
2013014799.tif 000018
【図７】
2013014799.tif 000019
【図８】
2013014799.tif 000020
【図９】
2013014799.tif 000021
【図１０】
2013014799.tif 000022
【図１１】
2013014799.tif 000023
【図１２】
2013014799.tif 000024
【図１３】
2013014799.tif 000025
【図１４】
2013014799.tif 000026
【図１５】
2013014799.tif 000027
【図１６】
2013014799.tif 000028
【図１７】
2013014799.tif 000029
【図１８】
2013014799.tif 000030
【図１９】
2013014799.tif 000031
【国際調査報告】
2013014799.tif 000032
2013014799.tif 000033